(57)【要約】      （修正有）【課題】軽量で、取り扱いが容易で作業性がよく、食品類の物流工程に適した新規なネズミ防止用保護材を提供する。【解決手段】台車１０上に、食品類が収納された矩形状のコンテナを段積み状で集合積載された積載物のネズミ防止用保護材であって、該保護材は、ヒンジを有する２枚の中空プラスチック板材からなり、係合ユニット部材４、５により係合させることにより矩形状の角筒を形成して該積載物を包囲することを特徴とするネズミ防止用保護材である。【選択図】図５
0003195183.tif 000002
【実用新案登録請求の範囲】
【請求項１】
台車上に、食品類が収納された矩形状のコンテナを段積み状で集合積載された積載物のネズミ防止用保護材であって、
該保護材は、ヒンジを有する２枚の中空プラスチック板材からなり、該板材の組み立て時の水平断面は一方が略Ｌ字状、他方が逆Ｌ字状で、両端部の高さ方向に複数個配置された係合ユニット部材により係合させることによって矩形状の角筒を形成して該積載物を包囲し、ネズミの侵入を阻止する機能を有し、
該板材は、側壁Ａ１及び側壁Ｂ１と、それらのいずれかの端縁に罫線を介して連接(設)された折り重ね部を有し、
さらに、該板材は、台車の底板に下端部を当接した状態で、最上段のコンテナに冠着された蓋材の四周枠の下端に略当接する長さを有し、
該係合ユニット部材は、２枚の該板材の係合又は脱離を自在にできる着脱機構を有する、
ことを特徴とするネズミ防止用保護材。
【請求項２】
前記板材が、中空の内部に所定の間隔でリブが延設された中空プラスチック板材であり、該プラスチック板材のリブを、前記側壁の高さ方向に配置してなる、請求項１に記載のネズミ防止用保護材。
【請求項３】
前記板材の側壁Ａ１又はＢ１の少なくともいずれかの壁面に透明部を配置して内部の積載物の確認を可能としてなる、請求項１又は２に記載のネズミ防止用保護材。
【請求項４】
前記係合ユニット部材は、ループ状係合素子とフック状係合素子からなる面ファスナーからなる、請求項１〜３のいずれかに記載のネズミ防止用保護材。
【請求項５】
前記板材がポリオレフィン系樹脂からなる請求項１〜４のいずれかに記載のネズミ防止用保護材。
【考案の詳細な説明】
【技術分野】
【０００１】
本考案は、食品のデリバリーシステムにおいて、台車上に食品が収納されたコンテナの段積列を複数集合して輸送単位として、工場から配送センター輸送する際に、輸送待機中、郵送中、保管中において、コンテナへのネズミの侵入を阻止（防止）できる、ネズミ防止用保護材に関するものである。
【背景技術】
【０００２】
パン、菓子、おにぎり、果物、野菜、米穀類、惣菜、加工食品などを工場から配送拠点や、仕分けセンターなどに、さらには供給センター等に輸送する場合等において、コンテナに把手用の孔がある場合、積載されたコンテナの内部にネズミが侵入することがあって、食害による製品の破損、病原体の媒介の危惧などがあり、ネズミ防止の対策が求められていた。
【０００３】
ネズミ防止対策としては、古くは、電気配線等をネズミの食害から守る防鼠用テープが市販されており、この防鼠用テープは、軟質ポリ塩化ビニル樹脂のテープ中にネズミ忌避剤としてシクロヘキシミドを含有させたもので、ネズミがこれを一度かじるとシクロヘキシミドの嫌な味と匂いによって、忌避行動を示し、二度目には匂いだけで忌避するようになるテープである。しかし、テープであるがために、捲回が大変で、かつ、捲き付け後は不透明で内部が見えないという問題があった。
一方、それ自体高価で、熱分解し易いシクロヘキシミドの溶融成形時の減量を抑えるため、軟化溶融温度の低いポリエチレン樹脂の網体中にシクロヘキシミドを含有せしめた防鼠用網体が提案されている（特許文献１参照）。
しかし、この特許文献１の防鼠用網体は、網目を通してコンテナや袋の表面の文字などを読むことができるが、シクロヘキシミド自体は、毒物及び劇物取締法 劇物の法規制の対象とされている化合物であり、食品類を保護する網体としては、必ずしも相応しくない。
【０００４】
また、防鼠方法として、被保護体を合成樹脂シート等の軟質材料製のシートで覆い、次にその外側をアルミニウム合金等の硬質材料製の環材を相互に遊動可能に且つ平面的に連結してなる屈曲自在のネットで覆い、ネズミの侵入を防止する方法が提案されている（特許文献２参照）。
しかし、この方法は、金属からなる鎖状ネットで覆うもので、農機具など定位置に保管される物質の保護を対象とするものであって、重量のあるネットで、物流用に使用するには適しない。
【０００５】
このような背景において、現状におけるこの種の対策として、積載されたコンテナの上部からプラスチックフィルム製の袋（「被覆用フィルム袋」）を被せ、台車上の下部側をストレッチフィルムで捲回してシールする方法が採用されている。
しかしながら、この方法によるときは、プラスチックフィルムが食いちぎられて、ネズミが侵入する危惧があることや、周囲約３ｍの矩形台車の底板上部をストレッチフィルムで捲回するのは、工数を要し、作業量の軽減と簡素化が望まれていた。
また、「被覆用フィルム袋」は、繰り返し使用の回数に制限あること、不使用時の保管に嵩張ること、廃棄処理が煩わしいなどの問題もあった。
【先行技術文献】
【特許文献】
【０００６】
【特許文献１】特開平５−３２５０２号公報
【特許文献２】特開平６−１５３７５６号公報
【考案の概要】
【考案が解決しようとする課題】
【０００７】
以上述べたように、軽量で、取り扱いが容易で作業性がよく、食品類の物流工程に適した新規なネズミ防止用保護材が求められていた。
そこで、本考案者らは、ネズミ防止用保護材について鋭意検討して、中空プラスチック板材を用いることで、積載食品コンテナへのネズミの侵入を阻止できることを知得し、本願考案を完成した。
【課題を解決するための手段】
【０００８】
すなわち、本考案は、
〔１〕台車上に、食品類が収納された矩形状のコンテナを段積み状で集合積載された積載物のネズミ防止用保護材であって、
該保護材は、ヒンジを有する２枚の中空プラスチック板材からなり、該板材の組み立て時の水平断面は、一方が略Ｌ字状、他方が逆Ｌ字状で、両端部の高さ方向に複数個配置された係合ユニット部材により係合させることによって矩形状の角筒を形成して該積載物を包囲し、ネズミの侵入を阻止する機能を有し、
該板材は、側壁Ａ１及び側壁Ｂ１と、それらのいずれかの端縁に罫線を介して連接(設)された折り重ね部を有し、
さらに、該板材は、台車の底板に下端部を当接した状態で、最上段のコンテナに冠着された蓋材の四周枠の下端に略当接する長さを有し、
該係合ユニット部材は、２枚の該板材の係合又は脱離を自在にできる着脱機構を有する、
ことを特徴とするネズミ防止用保護材、
〔２〕前記板材が、中空の内部に所定の間隔でリブが延設された中空プラスチック板材であり、該プラスチック板材のリブを、前記側壁の高さ方向に配置してなる、前記〔１〕に記載のネズミ防止用保護材、
〔３〕前記板材の側壁Ａ１又はＢ１の少なくともいずれかの壁面に透明部を配置してなる、前記〔１〕又は〔２〕に記載のネズミ防止用保護材、
〔４〕前記係合ユニット部材は、ループ状係合素子とフック係合素子からなる面ファスナーからなる、前記〔１〕〜〔３〕のいずれかに記載のネズミ防止用保護材、及び
〔５〕前記板材がポリオレフィン系樹脂である前記〔１〕〜〔４〕のいずれかに記載のネズミ防止用保護材、
を提供するものである。
【考案の効果】
【０００９】
本考案のネズミ防止用保護材は、食品類が収納された矩形状のコンテナを段積み状で集合積載された積載物へのネズミの侵入を有効に防止できる。また、比較的軽量な２枚のプラスチック板材を積載物（被保護体）の外周に当接させて、係合ユニット部材同士を係合すれば、矩形状の角筒が形成できるので、作業時間の短縮化と軽作業化を計ることができる。取り外しも係合ユニット部材の係合を解除すればよいので簡単で、ごみの発生や処理の必要がない。
化学薬品からなる防鼠用忌避剤等を使用していないので、衛生上安全であり、また、汚れた場合は容易に洗浄ができる。
【図面の簡単な説明】
【００１０】
【図１】本考案のネズミ防止用保護材の構成を説明するための斜視図である。
【図２】本考案のネズミ防止用保護材を組み立てた状態を説明するための斜視図である。
【図３】本考案のネズミ防止用保護材を構成する中空プラスチック板材の展開図の一例を示す図である。
【図４】本考案のネズミ防止用保護材の被保護対象である積載物の一例として、食品収納コンテナが台車上に積載された状況を示す説明図である。
【図５】図４の積載物に本考案のネズミ防止用保護材が装着された状況を示す説明図である。
【考案を実施するための形態】
【００１１】
まず、本考案のネズミ防止用保護材について説明する。
本考案のネズミ防止用保護材は、食品類が収納された矩形状のコンテナを段積み状で集合積載された積載物へのネズミの侵入を防止するための保護材である。
図４は、ネズミの侵入を防止するための保護対象である積載物の一例を示したもので、台車１０上に、矩形状のコンテナ１１が１０段で４列積載され、コンテナ１１の最上段に蓋材１５を冠着した状態を示している。図４のようにコンテナ１１を段済みした場合において、ネズミはコンテナ１１の把手孔１２から侵入する。そこで本考案では、図５に示すように、積載物の外周を本考案のネズミ防止用保護材１で包囲して、ネズミの侵入を阻止する構成とした。
なお、本考案において、積載物の単位とするコンテナは、通常の平コンテナ、折畳み可能ないわゆる「折コン」と称されるコンテナ等その構造や種類を問わず、さらには、ダンボールケース、紙袋等であってもよい。ただし、ダンボールケースや紙袋の場合には、棒状に積載すると荷崩れの危惧があるので、積載列ごとにバンド掛け等をしたり、はい積みにするなどした上で、本考案のネズミ防止用保護材で包囲すれば、ネズミ侵入阻止の効果が得られる。
【００１２】
本考案のネズミ防止用保護材は、図１に示すように、ヒンジ６を有する２枚の中空プラスチック板材２（以下、単に「板材」ということがある。）及び３からなり、該板材の組み立て時の水平断面が、一方（図１では板材２）が略Ｌ字状、他方（図１では板材３）が逆Ｌ字状で、両端部の高さ方向に複数個配置された係合ユニット部材４及び５により係合させて、図２に示すように矩形状の角筒を形成して該積載物を包囲し、ネズミの侵入を阻止する機能を有する。
【００１３】
図２において、ヒンジ６は、中空プラスチック板材に、折り罫線を施すことで形成することができる。当該ヒンジ６は、外壁Ａ１と外壁Ｂ１の境界部分及び折り重ね部７と外壁Ａ１との境界部分に形成され、ネズミ防止用保護材として、繰り返し使用しても損耗することがないように、形成する必要がある。
本考案のネズミ防止用保護材に用いられる中空プラスチック板材は、一般にプラスチックダンボールまたはプラダンと称される中空プラスチック板材で、厚みが１．５〜６．５ｍｍ程度、目付け、２５０〜１５００ｇ／ｍ２のものが、軽量性、取扱性の観点から好ましく用いられる。
この種の中空プラスチック板材としては、上下の２枚のライナー（面材）間にリブで隔絶された連続状の中空部を有する構造の宇部エクシモ株式会社が製造販売している「ダンプレート（登録商標）」、或いは、２枚のライナー間に円柱状の独立の中空部を有する構造の川上産業株式会社が製造販売している「プラパール（登録商標）」が例示できる。これらの中で、軽量性、罫線加工の容易性等の観点から、「ダンプレート」がより好適に使用できる。
【００１４】
また、中空プラスチック板材の材質は、高強度性、繰り返し使用後のリサイクル性や、焼却処分のし易さ、無害性、低比重による軽量性、加工容易性、原料コスト等から、ポリプロピレンやポリエチレン等のポリオレフィン系樹脂が特に好適である。
中空プラスチック板材は、着色されていてもよいが、ナチュラル色とすれば、ネズミ防止用保護材として使用する際に、積載物の存在が確認できるので好ましい。
さらに、プラスチック板材には、耐侯材、難燃剤、帯電防止剤、無機充填剤等を要求される物性に応じて適宜添加することができる。
【００１５】
上下の２枚のライナー（面材）間にリブで隔絶された連続状の中空部を有する構造の中空プラスチック板材を使用する場合は、図３の側壁Ｂ１の中央部に表面のライナーを一部切開した状態で内部のリブを表わしているように、中空プラスチック材のリブの方向を、側壁Ａ及びＢの高さ方向に平行に配置することが、罫線６の加工のし易さ、使用時の剛性が高い、リブが高さ方向に垂直の場合よりもネズミが登り難い等の観点から好ましい。なお、リブ間隔は、通常４〜６ｍｍであり、５ｍｍが一般的である。
【００１６】
本考案のネズミ防止用保護材は、中空プラスチック板材の側壁Ａ１又はＢ１のいずれかの壁面に透視部を配置し内部の積載物の確認を可能とすることができる。
このような透視部を小窓状に配置することにより、内部に段積みされているコンテナに貼られたラベル等を目視により確認することができ、集計や、チェック等に便利である。
図１〜３、図５に符号９で示す透視部は、厚み１ｍｍ程度のプラスチックシートを、アルミリベット等で固定することで形成できる。プラスチックシートの材質としては、透明性、高強度性の観点から、ポリエチレンテレフタレート（ＰＥＴ）が好ましいが、これに限定するものではなく、ポリオレフィン系樹脂や、ポリアミド樹脂からなるシートであってもよい。
【００１７】
本考案のネズミ防止用保護材は、２枚の係合ユニット部材により係合させることにより矩形状の角筒を形成して、ネズミの侵入を阻止する機能を有している。
本考案に使用できる係合ユニット部材としては、２枚の中空プラスチック板材の２枚を組み合わせて、コンテナ等の積載物の周囲を包囲するように、係合できれば、特に、その種類を問わないが、可撓性を有するため変曲自在であることに起因して係合作業の容易性、積載物包囲時に簡便に緊縛し易いといった特長を有しているため、基布に係合素子が設けられたテープ状の面ファスナーが好適に用いられる。
【００１８】
図２に示すように、板材３側の折り重ね部７を、板材２の後端部と重ね合わせ、当該後端部に固着された係合ユニット部材５の上に板材３側の係合ユニット部材４を９０度折り曲げて係合させることができる、取り外し時の脱離が容易等の観点から、繊維からなる基布にモノフィラメントからなるループを形成し、ループの一部を溶断してフックを形成した雄面ファスナーと、繊維からなる基布にマルチフィラメントをループ状に形成した雌面ファスナーとを組み合わせた面ファスナー（登録商標：「マジックテープ」）が好適に用いられる。
また雄面ファスナーは、前記のモノフィラメントによるフックではなく、鏃状突起を有する熱可塑性樹脂をテープ状に一体溶融押出し、これを長手方向に切断した後、延伸して、多数の鏃状フックを形成したものであってもよい。
また、雌雄面ファスナーは、いずれを固定側（図１の符号５）、又は移動側（図１の符号４）としてもよい。
また、上記の面ファスナーに代わる係合ユニット部材としては、弾撥力を有する金属バックルや、プラスチックの止め具などであってもよい。
【００１９】
中空プラスチック板材２（３）の側壁Ａ１及びＢ１の係合ユニット部材の４、５の側壁の長さ方向における位置及び間隔は、上端側及び下端側は、それぞれ上下端から５０〜１００ｍｍ程度が好ましく、２段目以降の間隔は２５０〜３５０ｍｍ程度が好ましい。これらの位置及び間隔は、ネズミの侵入を阻止できる隙間を確保する観点から決定され、中空プラスチック板材の剛性と、係合ユニット部材間の係合強力を勘案して決定される。
【００２０】
また、本考案のネズミ防止用保護材の板材は、台車の底板に当接し状態で、最上段のコンテナに冠着された蓋材の四周枠の下端に略当接する長さ（図３及び図５において符号Ｌで示している。）とする必要がある。本考案において、「略当接する」とは、蓋材の四周枠の下端に接触する場合から、２５ｍｍ程度の隙間が生じる場合を含み、実質的に保護材の上端部と、蓋材の四周枠の下端との隙間からのネズミの侵入を阻止できる位置関係にある状態を示すものとする。
【実施例】
【００２１】
以下、本考案のネズミ防止用保護材について、実施例により説明するが、本考案は、以下の実施例に限定されるものではない。
【００２２】
実施例１
＜被保護対象積載物＞
図４に示すように、台車１０の底板１３上に、幅３８０ｍｍ×長さ３０５ｍｍ×深さ１６９ｍｍで、底部側に深さ８ｍｍの重ね代と把手孔１２を有し、果物、野菜セットが収納されたコンテナ１１を１０個段積みした積載列を４列形成し、最上部のコンテナに、下方に向く３０ｍｍの縁枠１６を有する蓋材１５を冠着させた。
この状態において、積載物の外周の寸法は、保護材のＡ１側壁に対面する寸法が６１０ｍｍ、側壁Ｂ１に対面する寸法が７６０ｍｍｍ、台車の底板表面から、蓋材１５の縁枠１６の下端までの距離が１５８０ｍｍであった。
【００２３】
＜ネズミ防止用保護材の板材の作製＞
前記被保護対象積載物の外周を包囲可能な板材の寸法を割り出し、宇部エクシモ株式会社製の中空プラスチックシート〔（商品名：ダンプレート（登録商標）、品番：Ａ−４−６０、厚さ４．０ｍｍ、脚（リブ）間隔５ｍｍ、目付け６００ｇ／ｍ２、１４８３×１５８０ｍｍの原反から、リブの方向を図３の側壁Ｂ１の中央部に表面のライナーを一部切開した状態で内部のリブを表わしているように側壁の高さ方向と平行にし、側壁Ａ１には折り重ね部７を含むように、図３に示す外形状の板材２を打ち抜き加工すると同時に罫線６を施した。
なお、板材２の全ての角部は２０Ｒの面取りをした。
板材２の具体的な寸法は、図３の（  ）内に数値で示す寸法とした。
【００２４】
次いで、係合ユニット部材４として、５０ｍｍ幅×長さ１５０ｍｍの雄面ファスナー（ジャック株式会社製：品番ＫＲＡ）をＡ１側壁に図３に示す間隔でアルミリベットにより固着した。
一方、Ｂ１側壁側には、係合ユニット部材５として、裏面に強粘着剤が塗布された幅５０ｍｍ×長さ５０ｍｍのモヘアタイプの雌面ファスナー（ジャック株式会社製：品番ＫＲＢＮ）を、前記雄面ファスナーと同じ、図３に示す寸法で固着した。
【００２５】
また、側壁Ａ１の右下側には、板材を１５０ｍｍ×２１０ｍｍに切り抜き、この部分に２００ｍｍ×２６０ｍｍのポリエチレンテレフタレート（ＰＥＴ）製透明シート（厚み１ｍｍ）を左右６個のアルミリベットで固着した。板材の総重量は約１．４ｋｇであった。
【００２６】
上記の板材２を２枚作製し、図２に示すように、一方を板材２、他方を板材３として、相互の側壁Ａ１の先端側で折り重ね部を介して、係合ユニット部材４と側壁Ｂ１の後端側の係合ユニット部材５を係合させて、図２に示す如き矩形状の角筒が形成されることを確認した。
【００２７】
＜被保護対象積載物への実装テスト及びネズミ防止保護性能の評価＞
上記の板材２、３を図４に示す、積載台車に実装した。
先ず、積載物の外周を覆うように、図１に示す左側の板材２の下端部（差込部）８を台車１０の底板１３に当接しつつ、折り重ね部７も縁枠１４内に折り曲げ配置した。
次いで、板材３も同様に台車の底板に当接させつつ、縁枠１４内に配置し、側壁Ｂ１の端縁と、板材２の側壁Ａ１の折畳み部側端縁とを、折畳み部７を挟んで突き合わせ、雄係合ユニット部材４と、雌係合部材５を係合させた。さらに、前面側の係合部ユニット部材も、同様に係合させて、図５に示すように、台車上の積載物を包囲し、ネズミの侵入を阻止できる状態に積載物を保護した。
さらに布製帯状ベルト１７により台車１０と蓋材１５間を緊縛し、締め具１８で固定した。この段階で、板材の上端と蓋材の四周枠の下端との距離（隙間）は、２０ｍｍで、ネズミの侵入は不可能な状態であった。
この保護材を２名作業で取り付けるのに要した時間は９０秒で、従来において同様に２名作業で、蓋材上部からポチエチレンフィルム製の袋で覆い、台車側をストレッチフィルムで捲回する方法において要していた時間２４０秒に比べて大幅に作業時間を短縮でき、作業も軽減できた。
【００２８】
次いで、この本考案によるネズミ防止用保護材で梱包された物流ユニットを３０個作製し、各１５個ずつ、２方面への輸送、保管（午後３から翌日の午前１０時までの１９時間テスト）を３０回行った。
その間、ネズミの侵入の形跡はなく、本願のネズミ防止用保護材の実効性が確認できた。
また、積載物からの保護材の取り外し作業も、本考案のネズミ防止用保護材では、２名作業で、９０秒で完了したが、前記の従来のポリエチレンフィルム製の袋とストレッチフィルムを用いた保護方法による場合には、同様に２名作業で３００秒を要した。
これらの結果から、本考案のネズミ防止用保護材は、２枚の板材をいわばワンタッチで取り付け、取り外しができ、大幅に作業時間の短縮と省力化を図ることができることが確認された。
なお、本考案のネズミ防止用保護材に用いられた中空プラスチック板材は、米穀を保管する食料倉庫の下敷き材として永年使用された実績があり、このような使用においても、当該下敷き材がネズミに齧られることがないという実績があり、ネズミ防止の効果は独特の中空構造に起因していることも考えられる。
【産業上の利用可能性】
【００２９】
本考案のネズミ防止保護材は、ネズミの侵入を阻止できる保護材として、食品類が収納された矩形状のコンテナを段積み状で集合積載された積載物の物流分野において、輸送、保管時のネズミ防止保護材として有効に利用できる。
【符号の説明】
【００３０】
１      ネズミ防止用保護材
２、３  中空プラスチック板材（板材）
４、５  係合ユニット部材
６      罫線（ヒンジ部）
７      折り重ね部
８      下端部（差込部）
９      透明部
１０      台車
１１      コンテナ
１２      把手孔
１３      台車底板
１４      縁枠
１５      蓋材
１７      ベルト
１８      締め具（止め具）
【図１】
0003195183.tif 000003
【図２】
0003195183.tif 000004
【図３】
0003195183.tif 000005
【図４】
0003195183.tif 000006
【図５】
0003195183.tif 000007